(57)【要約】      （修正有）【課題】タブレット・コンピュータなどの電子デバイスに入力を供給し、アンテナを有するコンピュータ・スタイラスを提供する。【解決手段】コンピュータ・スタイラス１０は、先端部１４と、コネクタ及びアンテナなどのコンポーネント１８を有する反対側の端部２２とを備えた細長い本体を有する。アンテナの金属構造体は、金属トレースを有する成形プラスチック支持部を用いて支持し、又は、フレキシブルプリント回路若しくは他の構造体を用いて形成する。金属管及びプラスチック管を、スタイラスの本体を形成するのに用いる。金属管は、アンテナが取り付けられる開口部を有する。プラスチック管は、スタイラスのための外側ハウジングとして機能し、金属管及びアンテナが取り付けられる開口部を覆う。ケーブルのような伝送線をアンテナ給電装置に結合する。ケーブルは、金属管内の開口部を通り、導電性フォームのストリップを用いて覆う。【選択図】図１
0003206773.tif 000002
【実用新案登録請求の範囲】
【請求項１】
長手方向軸に沿って延び、周囲を有する、シャフトによって結合された先端部及び反対側の端部を有する細長い本体と、
前記周囲の少なくとも一部に巻き付けられたアンテナと、
を含むことを特徴とするコンピュータ・スタイラス。
【請求項２】
複数の接触パッドを有する、前記反対側の端部におけるコネクタをさらに含み、前記アンテナは、前記コネクタと前記先端部との間の前記シャフト上に配置されることを特徴とする、請求項１に記載のコンピュータ・スタイラス。
【請求項３】
前記アンテナはプラスチック管に巻き付けられたフレキシブルプリント回路を含むことを特徴とする、請求項２に記載のコンピュータ・スタイラス。
【請求項４】
金属アンテナ共振要素は、プラスチック支持構造体上の金属アンテナ共振要素トレースであることを特徴とする、請求項２に記載のコンピュータ・スタイラス。
【請求項５】
前記シャフトの少なくとも一部を形成する金属管をさらに含むことを特徴とする、請求項４に記載のコンピュータ・スタイラス。
【請求項６】
前記アンテナは、導電性接着剤によって前記金属管に短絡される金属トレースを有することを特徴とする、請求項５に記載のコンピュータ・スタイラス。
【請求項７】
同軸ケーブルをさらに含み、前記金属管は、前記同軸ケーブルが通る開口部を有することを特徴とする、請求項６に記載のコンピュータ・スタイラス。
【請求項８】
前記アンテナは給電装置を有し、前記同軸ケーブルは前記給電装置に結合され、前記コンピュータ・スタイラスは、
前記同軸ケーブルの少なくとも一部を覆う導電性フォームのストリップをさらに含むことを特徴とする、請求項７に記載のコンピュータ・スタイラス。
【請求項９】
前記アンテナは、前記周囲の全体に巻き付けられた金属アンテナ共振要素を有するリング・アンテナを含むことを特徴とする、請求項１に記載のコンピュータ・スタイラス。
【請求項１０】
長手方向軸に沿って延びる、シャフトによって結合された先端部及び反対側の端部を有する細長い本体と、
ドーム形状のプラスチック支持部上の金属トレースから形成された、前記反対側の端部におけるアンテナと、
を含むことを特徴とするコンピュータ・スタイラス。
【請求項１１】
前記アンテナは磁石を含むことを特徴とする、請求項１０に記載のコンピュータ・スタイラス。
【請求項１２】
前記アンテナは逆Ｆ形アンテナを含み、前記アンテナは、戻り経路トレースによって結合されたアンテナ接地トレース及びアンテナ共振要素トレースを含むことを特徴とする、請求項１１に記載のコンピュータ・スタイラス。
【請求項１３】
前記アンテナ共振要素トレースは前記磁石に電気的に結合され、アンテナ電流は前記磁石を通ることを特徴とする、請求項１２に記載のコンピュータ・スタイラス。
【請求項１４】
前記アンテナ共振要素トレース及び前記アンテナ接地トレースに結合されたアンテナ給電装置と、
前記シャフトの少なくとも一部を形成し、前記アンテナ接地トレースに短絡された金属管と、
前記アンテナ接地トレースに短絡されたねじ、及び前記アンテナ給電装置に結合された同軸ケーブルと、
をさらに含むことを特徴とする、請求項１０に記載のコンピュータ・スタイラス。
【請求項１５】
長手方向軸に沿って延び、周囲を有する、シャフトによって結合された先端部及び反対側の端部を有する細長い本体と、
複数のコネクタ接触パッドを有する、前記反対側の端部におけるコネクタと、
信号経路によって前記コネクタに結合された、前記シャフト内の電気コンポーネントと、
前記電気コンポーネントと前記コネクタとの間にある、前記シャフト内のアンテナと、
を含み、前記シャフトは、前記アンテナが取り付けられる開口部を有する金属管と、前記金属管を覆い、前記開口部において前記アンテナを覆うプラスチック外側管とを含むことを特徴とするコンピュータ・スタイラス。
【請求項１６】
前記アンテナは、共振要素アームを有する逆Ｆ形アンテナと、導電性接着剤によって前記金属管に結合された接地と、前記共振要素アームと前記接地との間に延びる戻り経路とを含むことを特徴とする、請求項１５に記載のコンピュータ・スタイラス。
【請求項１７】
前記アンテナは給電装置を含み、前記コンピュータ・スタイラスは、前記給電装置に結合された同軸ケーブルをさらに含むことを特徴とする、請求項１６に記載のコンピュータ・スタイラス。
【請求項１８】
前記金属管は付加的な開口部を有し、前記同軸ケーブルは前記付加的な開口部を通ることを特徴とする、請求項１７に記載のコンピュータ・スタイラス。
【請求項１９】
前記同軸ケーブルの少なくとも一部を覆う導電性フォームのストリップをさらに含むことを特徴とする、請求項１８に記載のコンピュータ・スタイラス。
【請求項２０】
前記コネクタを覆う取り外し可能キャップと、
前記開口部において前記アンテナを支持する内側プラスチック管と、
をさらに含み、前記アンテナは、前記内側プラスチック管上の金属トレースを含むことを特徴とする、請求項１９に記載のコンピュータ・スタイラス。
【考案の詳細な説明】
【技術分野】
【０００１】
本考案は、一般に、無線通信回路に関し、より具体的には、コンピュータ・スタイラスのような細長い無線デバイスのための無線通信回路に関する。
本出願は、引用によりその全体が本明細書に組み入れられる２０１５年６月６日に出願された米国特許出願第１４／７９２，５１６号に対する優先権を主張する。
【背景技術】
【０００２】
電子機器のための無線回路を形成するのは困難な場合がある。例えば、アンテナなどの無線コンポーネントを、タブレット・コンピュータ・スタイラスなどのコンパクトな携帯デバイスに組み込むのは困難である場合がある。気を付けなれば、導電性構造体の存在がアンテナ性能に悪影響を与える。アンテナ性能の低下は、トランシーバの電力使用の増大及びバッテリ寿命の低減をもたらす可能性がある。アンテナ性能の低下はまた、無線機能の低下をもたらす可能性がある。
【考案の概要】
【考案が解決しようとする課題】
【０００３】
従って、コンピュータ・スタイラスなどの無線デバイスのための改善された無線回路を提供できることが望ましい。
【課題を解決するための手段】
【０００４】
タブレット・コンピュータなどの電子デバイスに入力を供給するコンピュータ・スタイラスを提供することができる。スタイラスは、先端部及び反対側の端部を備えた細長い本体を有することができる。スタイラスの反対側の端部は、コネクタ及びアンテナなどのコンポーネントを含むことができる。コネクタは、キャップで覆うことができる。
【０００５】
アンテナは、逆Ｆ形アンテナ、リング・アンテナ、若しくはスタイラスの本体に巻き付けられる他のアンテナとすることができ、又は別のタイプのアンテナとすることができる。アンテナ構造体は、フレキシブルプリント回路上に形成することができ、又はプラスチック支持構造体上の金属トレースから形成することができる。必要に応じて、アンテナの金属構造体は、３次元アンテナを形成する成形プラスチック支持部を用いて支持することができる。
【０００６】
金属管及びプラスチック管を、スタイラスの本体を形成するのに用いることができる。金属管は、アンテナが取り付けられる開口部を有することができる。プラスチック管は、スタイラスのための外側ハウジングとして機能することができ、金属管と、アンテナが取り付けられる開口部とを覆うことができる。内側プラスチック管は、アンテナ・トレースのための支持構造体として機能することができる。
【０００７】
ケーブルなどの伝送線をアンテナ給電装置（ａｎｔｅｎｎａ  ｆｅｅｄ）に結合することができる。ケーブルは、金属管の開口部を通ることができ、導電性フォームのストリップを用いて覆うことができる。
【図面の簡単な説明】
【０００８】
【図１】１つの実施形態による、例示的コンピュータ及び関連したコンピュータ・スタイラスの斜視図である。
【図２】１つの実施形態による、無線通信回路を有する例示的なスタイラスの概略図である。
【図３】１つの実施形態による、スタイラスで用いる例示的な無線回路の図である。
【図４】１つの実施形態による、スタイラスのための例示的な逆Ｆ形アンテナの図である。
【図５】１つの実施形態による、例示的な平面逆Ｆ形アンテナの図である。
【図６】１つの実施形態による、例示的なモノポールアンテナの図である。
【図７】１つの実施形態による、例示的なループ・アンテナの図である。
【図８】１つの実施形態による、例示的なリング・アンテナの図である。
【図９】１つの実施形態による、レーザー直接構造化（ｌａｓｅｒ  ｄｉｒｅｃｔ  ｓｔｒｕｃｔｕｒｉｎｇ）技術を用いて形成された例示的なアンテナの斜視図である。
【図１０】１つの実施形態による、例示的なフレキシブルプリント回路アンテナの斜視図である。
【図１１】１つの実施形態による、金属共振要素が支持構造体に取り付けられた例示的なアンテナの側断面図である。
【図１２】１つの実施形態による、プリント導電性インクから形成された例示的なアンテナの側断面図である。
【図１３】１つの実施形態による、同軸ケーブルを用いて給電される例示的なアンテナの斜視図である。
【図１４】１つの実施形態による、ばね荷重ピンを用いて給電される例示的なアンテナの側断面図である。
【図１５】１つの実施形態による、ばねを用いて給電される例示的なアンテナの側断面図である。
【図１６】１つの実施形態による、基板を通るバイアを用いて給電される例示的なアンテナの側断面図である。
【図１７】１つの実施形態による、スタイラスの細長い本体の一部分の側断面図である。
【図１８】１つの実施形態による、先端部、及びアンテナが形成される反対側の端部を有する例示的なスタイラスの側面図である。
【図１９】１つの実施形態による、図１８のスタイラスの端部に取り付けることができるタイプの例示的な３次元アンテナの斜視図である。
【図２０】１つの実施形態による、アンテナ・トレースの上に磁石などの導電性構造体を取り付けることができる場所を示す、図１９のアンテナの背面図である。
【図２１】１つの実施形態による、アンテナ上のアンテナ・トレースに磁石を取り付けた後の図１９のアンテナの一部分の側面図である。
【図２２】１つの実施形態による、スタイラスの端部に配置されたアンテナを覆う誘電性カバーを有する例示的なスタイラスの側断面図である。
【図２３】１つの実施形態による、スタイラスの端部からオフセットした位置に形成されたアンテナを有する例示的なスタイラスの側断面図である。
【図２４】１つの実施形態による、取り外し可能なキャップ、及びスタイラスの端部からオフセットした位置に形成されたアンテナを備えた例示的なスタイラスの分解斜視図である。
【図２５】１つの実施形態による、取り外し可能なキャップ、及びスタイラスの端部からオフセットしたアンテナを備えた例示的なスタイラスの側断面図である。
【図２６】１つの実施形態による、導電性フォームで覆われたケーブルにより給電されるスタイラスの例示的なアンテナの斜視図である。
【図２７】１つの実施形態による、スタイラス本体の大部分に巻き付けられた金属トレースを有する例示的なスタイラス・アンテナの断面端面図である。
【図２８】１つの実施形態による、スタイラス本体の全体に巻き付けられた金属トレースを有する例示的なスタイラス・アンテナの断面端面図である。
【図２９】１つの実施形態による、スタイラス・アンテナを形成する際に用いることができるタイプの例示的なリング・アンテナの斜視図である。
【図３０】１つの実施形態による、スタイラスの端部からオフセットした位置においてスタイラスの側部に取り付けることができるタイプの例示的なアンテナ・トレースの側面図である。
【図３１】１つの実施形態による、アンテナのための開口部を備えた金属本体構造を有する例示的なスタイラスの側断面図である。
【図３２】１つの実施形態による、図３１の金属本体構造の斜視図である。
【図３３】１つの実施形態による、スタイラス本体内の金属管に短絡されたアンテナ構造体を有するスタイラス本体の一部分の側断面図である。
【図３４】１つの実施形態による、アンテナのための給電装置に結合される前に、金属管の内部から出てくるケーブルを用いてアンテナに給電する、スタイラスの一部分の側断面図である。
【考案を実施するための形態】
【０００９】
無線で通信する電子機器を含むシステムが、図１に示される。図１の機器は、電子デバイス１２０及び電子デバイス１０を含む。デバイス１２０及び１０のような電子機器は、一般に、ラップトップ・コンピュータのようなコンピューティング・デバイス、埋め込み型コンピュータを含むコンピュータ・モニタ、タブレット型コンピュータ、携帯電話、メディアプレーヤー、又は他の手持ち式若しくは携帯用電子デバイス、腕時計デバイスなどの小型デバイス、ペンダント型デバイス、ヘッドホン若しくはイヤホン型デバイス、メガネに埋め込まれたデバイス、又はユーザの頭部に着用される他の機器、又は他の着用型若しくは小型デバイス、テレビ、埋め込み型コンピュータを含まないコンピュータ・ディスプレイ、ゲーム機、ナビゲーション・デバイス、電子機器がキオスク若しくは自動車内に取り付けられたシステムのような埋め込み型システム、タッチパッド、コンピュータ・マウス、コンピュータ・スタイラスなどのコンピュータ・アクセサリ、又は他の電子アクセサリ、これらのデバイスの２つ又はそれ以上の機能を実装する機器、又は他の電子機器とすることができる。本明細書で例として説明されることもある図１の例示的な構成において、デバイス１２０は、タブレット・コンピュータ又はタッチスクリーンを備えた他のデバイスであり、デバイス１０はコンピュータ・スタイラスである。描画プログラムがタブレット・コンピュータ１２０上で実行されると、ユーザは、スタイラス１０を用いて、タブレット・コンピュータ１２０上に描画し、他の入力をタブレット・コンピュータ１２０に与えることができる。
【００１０】
タブレット・コンピュータ１２０は、ディスプレイ１２２が取り付けられる、ハウジング１２４のようなハウジングを含むことができる。ボタン１２６のような入力・出力デバイスを用いて、タブレット・コンピュータ１２０に入力を供給することができる。ディスプレイ１２２は、容量性タッチスクリーン・ディスプレイ又は他のタイプのタッチセンサ技術を含むディスプレイとすることができる。ディスプレイ１２２のタッチセンサは、スタイラス１０から入力を受け取るように構成することができる。
【００１１】
スタイラス１０は、長手方向軸２６に沿って延びる円筒形状又は他の細長い本体を有することができる。スタイラス１０の本体は、金属管及び／又はプラスチック管及び他の細長い構造体から形成することができる。スタイラス１０及びタブレット・コンピュータ１２０は、無線通信リンク２８を介して無線通信をサポートするための無線回路を含むことができる。一例として、スタイラス１０は、リンク２８を介して、タブレット・コンピュータ１２０に無線入力を供給することができる（例えば、タブレット・コンピュータ１２０上で実行されている描画プログラム又は他のソフトウェアにおける設定についての情報、所望の画面上オプションを選択するための入力、スタイラスフリックのようなタッチジェスチャをタブレット・コンピュータ１２０に供給するための入力、ディスプレイ１２２上に表示される画像を移動させる又は他の方法で操作するための入力等）。
【００１２】
スタイラス１０は、先端部１４のような先端部を有することができる。先端部１４は、ディスプレイ１２２の容量性タッチセンサによって検出される導電性エラストマー部材を含むことができる。必要に応じて、先端部１４は、能動エレクトロニクス（例えば、ディスプレイ１２２のタッチセンサに容量結合され、タッチセンサへのタッチ入力として検出される信号を送る回路）を含むことができる。
【００１３】
スタイラス１０のシャフト部分１６は、スタイラス１０の先端部１４を、スタイラス１０の反対側の端部２２に結合することができる。端部２２は、導電性エラストマー部材、能動エレクトロニクス（例えば、ディスプレイ１２２のタッチセンサに容量結合され、タッチセンサへのタッチ入力として検出される信号を送信する回路）、ボタン、外部プラグと嵌合する金属コネクタ、又は他の入力・出力コンポーネントを含むことができる。
【００１４】
スタイラス１０の先端部１４及び／又は反対側の端部２２に、力センサを組み込むことができる。力センサは、ユーザが、どれだけ強くスタイラス１０をディスプレイ１２２の外面に押し付けているかを測定するために使用することができる。次に、力データは、スタイラス１０からタブレット１２０に無線で送ることができるので、それに応じて、ディスプレイ１２２上に描かれている線の太さを調整することができ、又は、タブレット１２０が他の適切なアクションをとることができる。
【００１５】
必要に応じて、スタイラス１０は、スタイラス１０をユーザのシャツのポケット又は他の物体に取り付けるのを助けるクリップを備えること、スタイラス１０をデバイス１２０又は他の構造体の磁気取り付け点に取り付けるのを助ける磁石を備えること、又はユーザがスタイラス１０を外部の物体に取り付けるのを助ける他の構造体を備えることができる。端部２２は、取り外し可能キャップ、ケーブル（例えば、スタイラス１０内のバッテリを充電するための電力信号を供給する及び／又はデジタルデータを供給するケーブル）を受けるためのデータポート・コネクタ、入力・出力デバイス（例えば、ボタン及び／又は発光ダイオード又は他の光ベースの出力デバイス）、又は他のコンポーネント（例えば、金属構造体）を有することができる。
【００１６】
コンポーネント１８のようなコンポーネントをスタイラス１０上に（例えば、シャフト１６上又は他のどこかに）形成することができる。コンポーネント１８は、ボタン、タッチセンサ、及び入力を収集するための他のコンポーネント、発光ダイオード又は出力を生成するための他のコンポーネント等を含むことができる。
【００１７】
スタイラス１０は、シャフト部分１６内に、金属管又は他の導電性コンポーネントを含むことができる。スタイラス１０内の金属管又は他の構造体は、アンテナのためのアンテナ接地として機能することができる。アンテナのアンテナ共振要素は、プリント回路又は他の誘電体支持構造体上の金属トレース、及び／又は他の導電性構造体から形成することができる。アンテナ共振要素は、端部領域２２の領域２０Ｂ内に配置してもよく、又はスタイラス１０の端部からオフセットした、領域２０Ａのような位置に形成してもよい。アンテナがオフセット領域２０Ａ内に配置される構成においては、コネクタ又は他のコンポーネントを領域２０Ｂ内に取り付けることができる。必要に応じて、スタイラス１０のアンテナは、本体１６に沿ったいずれかの場所、先端部領域１４、又はデバイス１０の他の適切な部分に配置することができる。
【００１８】
スタイラス１０において用いることができる例示的コンポーネントを示す概略図が、図２に示される。図２に示されるように、スタイラス１０は、格納及び処理回路３０のような制御回路を含むことができる。格納及び処理回路３０は、不揮発性メモリ（例えば、フラッシュメモリ、又はソリッドステート・ドライブを形成するように構成された他の電気的にプログラム可能な読み取り専用メモリ）、揮発性メモリ（例えば、スタティック又はダイナミック・ランダム・アクセス・メモリ）等などの格納部を含むことができる。格納及び処理回路３０内の処理回路を用いて、スタイラス１０の動作を制御することができる。この処理回路は、１又は２以上のマイクロプロセッサ、マイクロコントローラ、デジタル信号プロセッサ、ベースバンド・プロセッサ集積回路、特定用途向け集積回路等に基づくことができる。
【００１９】
格納及び処理回路３０を用いて、スタイラス１０上のソフトウェアを実行することができる。ソフトウェアは、ボタン、センサ、及び他の入力コンポーネントからの入力を処理することができる。ソフトウェアを用いて、ユーザに出力を与えることもできる（例えば、発光ダイオード、又は図１のコンポーネントのような他の出力コンポーネントを用いて）。タブレット・コンピュータ１２０のような外部機器との相互作用をサポートするために、格納及び処理回路３０及び他のスタイラス１０内の回路は、通信プロトコルを実装するのに用いることができる。スタイラス１０内に実装できる通信プロトコルは、Ｂｌｕｅｔｏｏｔｈ（登録商標）プロトコルのような短距離無線通信リンクのためのプロトコルを含む。必要に応じて、他のタイプの無線通信リンクをサポートすることができる。Ｂｌｕｅｔｏｏｔｈ通信の使用は、単なる例示にすぎない。
【００２０】
スタイラス１０は、入力・出力回路４４を含むことができる。入力・出力回路４４は、入力・出力デバイス３２を含むことができる。入力・出力デバイス３２を用いて、データをスタイラス１０に供給するのを可能にし、データをスタイラス１０からタブレット・コンピュータ１２０などの外部デバイスに与えることを可能にすることができる。入力・出力デバイス３２は、ユーザ・インターフェース・デバイス、データポート・デバイス、及び他の入力・出力コンポーネントを含むことができる。例えば、入力・出力デバイス３２は、タッチスクリーン、タッチセンサ機能のないディスプレイ、ボタン、ジョイスティック、スクロールホイール、タッチパッド、マイクロフォン、カメラ、スピーカー、状態表示器、光源、オーディオ・ジャック及び他のオーディオ・ポート・コンポーネント、デジタルデータ・ポート・デバイス、光センサ、加速度計、又は地球に対する動き及びスタイラスの配向を検出することができる他のコンポーネント、静電容量センサ、近接センサ（例えば、静電容量近接センサ及び／又は赤外線近接センサ）、磁気センサ、並びに他のセンサ及び入力・出力コンポーネントを含むことができる。
【００２１】
入力・出力回路４４は、外部機器と無線で通信するための無線通信回路３４を含むことができる。無線通信回路３４は、１又は２以上の集積回路、電力増幅器回路、低雑音入力増幅器、受動ＲＦコンポーネント、１又は２以上のアンテナ４０、伝送線、及びＲＦ無線信号を処理するための他の回路から形成された無線周波数（ＲＦ）トランシーバ回路を含むことができる。
【００２２】
無線通信回路３４は、２．４ＧＨｚ  Ｂｌｕｅｔｏｏｔｈ（登録商標）通信帯域又は他の適切な通信帯域での無線通信を処理するための無線周波数トランシーバ回路９０を含むことができる。Ｂｌｕｅｔｏｏｔｈ信号又は他の無線信号は、アンテナ４０などの１又は２以上のアンテナを用いて、トランシーバ回路９０により送信及び／又は受信することができる。無線通信回路３４内のアンテナは、何らかの適切なアンテナ・タイプを用いて形成することができる。例えば、スタイラス１０のアンテナは、ループ・アンテナ構造体、パッチ・アンテナ構造、逆Ｆ形アンテナ構造、スロット・アンテナ構造、平面逆Ｆ形アンテナ構造、螺旋ヘリカルアンテナ構造、リング・アンテナ、モノポールアンテナ、これらの設計の混成等から形成された共振素子を伴うアンテナを含むことができる。必要に応じて、スタイラス１０内のアンテナの１又は２以上は、キャビティ付き（ｃａｖｉｔｙ−ｂａｃｋｅｄ）アンテナとすることができる。
【００２３】
伝送線経路は、アンテナ４０をトランシーバ回路９０に結合するのに用いることができる。スタイラス１０内の伝送線は、同軸ケーブル経路、マイクロストリップ伝送線、ストリップライン伝送線、エッジ結合マイクロストリップ伝送線、エッジ結合ストリップライン伝送線、これらのタイプの伝送線の組み合わせから形成された伝送線等を含むことができる。必要に応じて、フィルタ回路、スイッチング回路、インピーダンス・マッチング回路、及び他の回路を、各伝送線の間に配置することができる。
【００２４】
図３に示されるように、無線回路３４内のトランシーバ回路９０は、経路９２のような経路を用いて、アンテナ４０に結合することができる。無線回路３４は、制御回路３０に結合することができる。制御回路３０は、入力・出力デバイス３２に結合することができる。入力・出力デバイス３２は、スタイラス１０からの出力を供給し、スタイラス１０の外部にある源から入力を受け取ることができる。
【００２５】
アンテナ４０に対象の通信周波数をカバーする能力を与えるために、アンテナ４０に、フィルタ回路（例えば、１又は２以上の受動フィルタ、及び／又は、１又は２以上の同調可能なフィルタ回路）などの回路を備えることができる。キャパシタ、インダクタ、及び抵抗器などの個別コンポーネントをフィルタ回路に組み込むことができる。容量性構造体、誘導性構造体、及び抵抗性構造体を、パターン形成された金属構造体（例えば、アンテナの一部）から形成することもできる。必要に応じて、アンテナ４０に、同調可能コンポーネント１０２などの調整可能回路を設けて、対象の通信帯域にわたってアンテナ４０を同調させることができる。同調可能コンポーネント１０２は、同調可能インダクタ、同調可能キャパシタ、又は他の同調可能コンポーネントを含むことができる。これらのような同調可能コンポ―ネントは、固定コンポーネントのスイッチ及びネットワーク、関連した分布キャパシタンス及びインダクタンスを生成する分布型金属構造体、可変のキャパシタンス及びインダクタンス値を生成するための可変ソリッド・ステート・デバイス、同調可能フィルタ、又は他の適切な同調可能構造体に基づくものとすることができる。スタイラス１０の動作中、制御回路３０は、インダクタンス値、キャパシタンス値、又は他の同調可能コンポーネント１０２と関連したパラメータを調整する制御信号を、経路８８などの１又は２以上の経路上に発し、それにより、所望の通信帯域をカバーするようにアンテナ４０を同調させることができる。アンテナ４０に同調可能コンポーネントがない構成を用いることもできる。
【００２６】
経路９２は、１又は２以上の伝送線を含むことができる。一例として、図３の信号経路９２は、線９４のような正の信号導体と、線９６のような接地信号導体とを有する伝送線とすることができる。線９４及び９６は、同軸ケーブル又はマイクロストリップ伝送線の部分を形成することができる（例として）。インダクタ、抵抗器、及びキャパシタなどのコンポーネントから形成されたマッチング回路は、アンテナ４０のインピーダンスを伝送線９２のインピーダンスにマッチングさせるのに用いることができる。マッチング回路のコンポーネントは、個別コンポーネント（例えば、表面実装技術のコンポーネント）として設けることができ、又は、ハウジング構造体、プリント回路基板構造体、プラスチック支持部上のトレース等から形成することができる。これらのようなコンポーネントは、アンテナ４０内にフィルタ回路を形成するのにも用いることもできる。
【００２７】
伝送線９２は、アンテナ４０と関連したアンテナ給電構造体に結合することができる。一例として、アンテナ４０は、逆Ｆ形アンテナ、スロット・アンテナ、ハイブリッド型逆Ｆ形スロット・アンテナ、又は端子９８のような正アンテナ給電端子と、接地アンテナ給電端子１００のような接地アンテナ給電端子とを備えたアンテナ給電装置を有する他のアンテナを形成することができる。正伝送線導体９４は、正アンテナ給電端子９８に結合することができ、接地伝送線導体９６は、接地アンテナ給電端子１００に結合することができる。必要に応じて、他のタイプのアンテナ給電構成を用いてもよい。図３の例示的な給電構成は、単なる例示にすぎない。
【００２８】
図４は、スタイラス１０のアンテナ４０を実装するのに用いることができる例示的な逆Ｆ形アンテナ構造体の図である。図４の逆Ｆ形アンテナ４０は、アンテナ共振要素１０６及びアンテナ接地１０４を有する。アンテナ共振要素１０６は、アーム１０８のような主共振要素アームを有することができる。アーム１０８の長さは、アンテナ４０が所望の動作周波数で共振するように選択することができる。例えば、アーム１０８の長さは、アンテナ４０についての所望の動作周波数における波長の４分の１とすることができる（例えば、２．４ＧＨｚ）。アンテナ４０はまた、高調波周波数において共振を示すこともある。
【００２９】
主共振要素アーム１０８は、戻り経路１１０によって接地１０４に結合することができる。アンテナ給電装置１１２は、正アンテナ給電端子９８及び接地アンテナ給電端子１００を含むことができ、アーム１０８と接地１０４との間の戻り経路１１０に対して平行に延びることができる。必要に応じて、図４の例示的なアンテナ４０のような逆Ｆ形アンテナは、１つより多い共振アーム分岐（例えば、複数の周波数共振を生成し、複数の通信帯域における動作をサポートするための）を有することができ、又は他のアンテナ構造体（例えば、無給電アンテナ共振要素、アンテナの同調をサポートするための、図３のコンポーネント１０２のような同調可能コンポーネント）を有することができる。アンテナ４０をスタイラス１０内に取り付ける際、アンテナ４０の構造体を湾曲させることができる。例えば、接地１０４及び／又は共振要素１０６は、スタイラス１０の長手方向軸２６に巻き付けられた金属から形成することができる。
【００３０】
図５に示されるように、アンテナ４０は、平面逆Ｆ形アンテナとすることができる（例えば、アーム１０８は、接地１０４の部分の上にある平面金属構造体から形成することができる）。給電装置１１２は、平面要素１０８から接地１０４に向かって下向きに延びるアームから形成することができる。戻り経路１１０は、給電装置１１２に対して平行に、平面アーム１０８と接地１０４との間を延びる平坦な金属壁から形成することができる。
【００３１】
図６の例において、アンテナ４０は、モノポール共振要素１０６を有するモノポールである。モノポール共振要素１０６は、金属モノポール・アーム１０８などの金属のストリップから形成される。金属モノポール・アーム１０８は、正給電端子９８から、接地１０４及び接地給電端子１００から離れるように延びる。モノポール・アーム１０８の長さは、対象の周波数範囲をカバーするように調整することができる（例えば、モノポール要素の長さは、対象の動作周波数における波長の４分の１とすることができる）。
【００３２】
必要に応じて、アンテナ４０は、図７のループ・アンテナ４０のようなループ・アンテナから形成することができる。ループ・アンテナ４０は、正アンテナ給電端子９８と接地アンテナ給電端子１００との間に延びる導電性材料のループから形成された共振要素１０６を有することができる。
【００３３】
図８は、アンテナ４０をどのようにリング・アンテナにできるかを示す。図８のリング・アンテナ４０は、給電端子９８のような正アンテナ給電端子と、給電端子１００のような接地アンテナ給電端子とを有する。正アンテナ給電端子９８は、リング・アンテナ共振要素１０６（例えば、スタイラス１０の本体の周りにリング状に延びる金属構造体等）に結合される。接地アンテナ給電端子１００は、接地１０４に結合される。
【００３４】
必要に応じて、他のタイプのアンテナを、スタイラス１０のためのアンテナ４０を形成するのに用いることができる（例えば、スロット・アンテナ、螺旋アンテナ、パッチ・アンテナ等）。図４、図５、図６、図７及び図８の構成は、単なる例示にすぎない。
【００３５】
アンテナ４０は、金属構造体などの導電性構造体から形成することができる。アンテナ４０の金属構造体は、金属被覆層、デバイス・ハウジング若しくは他の構造的金属部材の部分、金属管の部分、金属箔、配線、又は他の金属構造体とすることができる。
【００３６】
図９の例示的な構成において、アンテナ４０は、３次元（非平面）誘電体支持部１３０上の３次元金属アーム１０８を含む。誘電体支持部１３０は、例えば、プラスチック（例えば、成形プラスチック）などの誘電体から形成された支持部とすることができる。支持部１３０を形成するプラスチック材料は、レーザー光からの暴露に対して支持部１３０を敏感にする金属粒子又は他のフィラー材料を含み得る。レーザー光に対する暴露の後、レーザー光に暴露された支持部１３０の部分は、電気めっき金属による被覆が促進し、一方、レーザー光に暴露されなかった支持部１３０の部分は、電気めっき金属の成長が促進されない。レーザー直接構造化（ＬＤＳ）と呼ばれることもあるこの手法を用いて、図９の金属アンテナ・アーム１０８のような金属構造体を、電気めっきを用いて堆積させることができる。このように成長された金属アンテナ構造体は、３次元とすることができる（すなわち、図９の例示的な支持構造体１３０の曲面のような曲面は、金属で被覆することができる）。３次元アンテナ構造体の使用により、アンテナ４０を所望の形状のハウジング内に収容しながら、アンテナ４０についての所望のアンテナ放射パターンを生成するのを助けることができる。
【００３７】
図１０の例において、アンテナ・アーム１０８の金属トレースが、フレキシブル基板１３２のようなフレキシブル基板上に堆積され、パターン形成される。アーム１０８のようなアンテナ構造体を形成するための金属は、ブランケット金属コーティングとして堆積させ、その後、フォトリソグラフィ及び金属エッチングを用いてパターン形成することができる（一例として）。フレキシブル基板１３２は、ポリイミド基板又は他のポリマー材料の可撓性層から形成されたフレキシブルプリント回路とすることができる。スタイラス１０内に取り付けられると、フレキシブル基板１３２は、スタイラス１０の細長い本体に巻き付けることができる。
【００３８】
図１１は、接着剤１３６を用いて誘電体支持部材１３４に取り付けられた金属部材（例えば、型打ちした金属箔等）から形成されるアンテナ４０の例示的なアンテナ・アーム１０８の分解斜視図である。支持部材１３４は、プラスチック又は他の誘電材料から形成することができ、スタイラス１０の細長い本体の一部分を形成することができる。
【００３９】
図１２は、誘電体支持部１３８の表面の上に導電性インク１４４を印刷することにより、金属アンテナ・アーム１０８及び他のアンテナ構造体をどのように形成できるかを示す図である。誘電体支持部１３８は、プリント回路基板などの平面基板とすることができ、又は、成形プラスチック支持部若しくは３次元形状を有する他の構造体とすることができる。インクジェット・ディスペンサ１４０は、コンピュータ制御ポジショナ１４２を用いて制御することができる。方向１４６に移動すると、ディスペンサ１４０は、支持構造体１３８の上に金属インク又は他の導電性インク１４４を堆積させ、それにより、アンテナ４０のアンテナ要素１０８についての所望の形状を形成することができる。インクジェット印刷、スクリーン印刷、パッド印刷、噴霧、浸漬、滴下、塗装、又は他の適切な堆積技術を用いて、導電性インク（例えば、金属粒子又は他の導電性粒子を含有するバインダ材料）を支持構造体に施工することができる。
【００４０】
図９、図１０、図１１及び図１２に関連して説明されるアンテナ金属構造体製造技術は、単なる例示にすぎない。アンテナ構造体は、金属ハウジングの部分（例えば、スタイラス１０の細長い本体の構造体を形成する金属管）、内部金属部材、フレキシブルプリント回路上の金属トレース、成形プラスチック基板及び他の３次元誘電体基板上の３次元金属トレース（例えば、レーザー・パターン形成トレース）、金属配線、金属箔（例えば、アンテナ構造体の形状にパターン形成され、接着剤、ねじ、又は他の取り付け機構を用いて支持構造体に取り付けられた金属箔）から形成することができる。
【００４１】
アンテナ４０は、ケーブル、フレキシブルプリント回路上の伝送線、又は他の適切な給電構成を用いて給電することができる。
【００４２】
図１３の例において、伝送線９２は同軸ケーブルを用いて実装される。ケーブル内の外側導体は、接地給電端子１００において接地１０４に短絡されている。ケーブル内の内側導体は、正給電端子９８に短絡されている。はんだ、溶接、導電性接着剤、又は他の導電結合機構を用いて、伝送線９２をアンテナ４０に結合することができる。
【００４３】
図１４は、別の例示的な給電構成を示すアンテナ４０の側断面図である。図１４の例において、アンテナ４０は、誘電体基板１５６上に金属トレース１５４を含む。伝送線９２は、信号導体１５０を含む。ばね荷重ピン１５２は、給電ピンとして機能する。ピン１５２は、信号導体１５０にはんだ付けすること、又は他の方法で電気的及び機械的に結合することができる。ピン１５２内のばねにより、ピン１５２の突出部分が、金属アンテナ・トレース１５４を押し付け、それにより、正給電端子又は接地給電端子のためのアンテナ給電接続を完了することができる。
【００４４】
図１５に示されるように、ばね１６０のようなばねを、アンテナ給電接続を形成するのに用いることができる。アンテナ４０は、誘電体基板１６４及びアンテナ・トレース１６２を含むことができる。伝送線９２は、導電性信号線１５８を含むことができる。ばね１６０のようなばねを信号線１５８に結合することができる（例えば、はんだ、溶接、導電性接着剤、ファスナ等を用いて）。ばね１６０は、付勢力をアンテナ・トレース１６２に印加して、正又は接地アンテナ給電接続を形成することができる。
【００４５】
図１６の例示的構成において、アンテナ４０及び伝送線９２は、共通の基板から形成される。基板１６６は、プリント回路又は他の誘電体から形成され、伝送線９２を形成するのに伝送線導体１６８が用いられる第１の部分と、アンテナ４０の共振要素構造体及び／又は接地構造体を形成するのにアンテナ・トレース１７０が用いられる第２の部分とを有する。バイア１７２のような１又は２以上のバイアは、基板１６６を通って延びることができ、正及び接地アンテナ給電接続を形成するのに用いることができる。
【００４６】
スタイラス１０のハウジングは、金属、プラスチック、炭素繊維複合材、及び他の繊維複合材、ガラス、セラミック、他の材料、及びこれらの材料の組み合わせから形成することができる。スタイラス１０の細長い本体のシャフト部分１６の側断面図が、図１７に示される。図１７に示されるように、電気コンポーネント１９０は、スタイラス１０の本体の内部キャビティ１８８内に取り付けることができる。コンポーネント１９０は、集積回路、センサ、バッテリ構造体、コネクタ、スイッチ、及び他の回路（例えば、図２の制御回路３０及び／又は入力・出力回路４４）を含むことができる。コンポーネント１９０は、基板１８６のような１又は２以上の基板上に実装することができる。基板１８６は、プリント回路（例えば、ガラス繊維充填エポキシなどのリジッドプリント回路基板材料から形成されたリジッドプリント回路、又はポリイミドの可撓性シート又は他の可撓性ポリマー層から形成されたフレキシブルプリント回路）などの誘電体支持構造体とすることができる。
【００４７】
内部キャビティ１８８は、層１８０、１８２及び１８４のような１又は２以上の材料層によって取り囲むことができる。これらの材料層は同心の円筒状管を形成することができ、金属、プラスチック、ガラス、セラミック、他の材料、及び／又はこれらの材料の２つ又はそれ以上から形成することができる。一例として、外側層１８０は、スタイラス１０のための表面的外側として機能するプラスチック管を形成することができ、中間層１８２は、スタイラス１０に構造的支持を与える金属管を形成することができ、内側層１８４は、支持構造体として機能するプラスチック管を形成することができる。一般に、管１８０は、金属、プラスチック、又は他の材料から形成することができ、管１８２は、金属、プラスチック、又は他の材料から形成することができ、管１８４は、金属、プラスチック、又は他の材料から形成することができる。別の例示的構成では、内側管１８４を省くことができ、管１８０は、金属、プラスチック、又は他の材料から形成することができ、管１８２は、金属、プラスチック、又は他の材料から形成することができる。シャフト１６が単一の管を含む構成、又は大きな内部キャビティ部分をもたない中実部分を含む構成を用いることもできる。
【００４８】
図１８のスタイラス１０の側断面図に示されるように、アンテナ４０は、スタイラス１０の端部２２に形成することができる。このタイプの構成を用いて、ユーザの手でアンテナ４０を不注意に遮る危険性を最小にすることができる。
【００４９】
図１８のスタイラス１０の端部２２に取り付けるための例示的なアンテナの斜視図が、図１９に示される。図１９に示されるように、アンテナ４０は、成形プラスチック支持部２００のような３次元支持部構造上に形成される金属トレースを有することができる。アンテナ４０は、逆Ｆ形アンテナとすることができ、金属トレースは、アンテナ共振アーム１０８（例えば、図４のアーム１０８）、戻り経路１１０（例えば、図４の戻り経路１１０）、及びアンテナ接地１０４（例えば、図４の接地１０４）を形成する部分を含むことができる。ねじ２０６及び／又は他の導電性結合構造体を用いて、接地トレース部分１０４を、スタイラス１０内の金属管又は他のアンテナ接地構造体に結合することができる。伝送線９２は、接地１０４上の接地端子１００に結合された接地導体と、正アンテナ給電端子９８に結合された正導体とを有する同軸ケーブルを用いて、実装することができる。
【００５０】
必要に応じて、アンテナ４０の背面は、磁石２０２のようなコンポーネントを受けるのに十分に大きい金属トレースから形成することができる（例えば、磁石２０２が、接着剤又は他の取り付け機構を用いて、方向２０４においてアンテナ４０の背面上に取り付けられる場合）。図１９のアンテナ４０の背面図が、図２０に示される。図２０の破線２０２’は、磁石２０２を取り付けることができる場所を示す。動作中、アンテナ電流は、磁石２０２を通って流れることができる（すなわち、磁石２０２は、アンテナの部分を形成することができる）。アンテナ支持構造体２００の上面は、スタイラス１０のドーム状端部分内の取り付けに適合するようにドーム形状の構成を有することができ、又は他の適切な形状を有することができる。
【００５１】
図２１は、支持構造体２００上のアーム１０８に取り付けられた磁石２０２の側断面図である。図２１に示されるように、磁石２０２をアンテナ４０に取り付けるのに、導電性接着剤２０８を使用することができる。必要に応じて、磁石２０２を省くことができる（例えば、クリップ又は他の構造体がスタイラス１０内に存在し、未使用時にスタイラス１０を固定するのを助ける場合）。
【００５２】
図２２のスタイラス１０の端部２２の側断面図に示されるように、図１９のアンテナ４０のようなアンテナを、スタイラス・ハウジング２１０のような１又は２以上の誘電体層で覆うことができる。ハウジング２１０は、プラスチック又は他の放射線透過性材料から形成することができる。図２２の例において、アンテナ４０は、スタイラス１０の端部に形成されている。必要に応じて、アンテナ４０は、スタイラス１０の端部からオフセットした位置に配置することができる。図２３に示されるように、例えば、アンテナ４０は、スタイラスの端部１４に直接隣接しない、位置２０Ａのような位置において、スタイラス１０内に取り付けることができる（すなわち、位置２０Ａは、端部２１２からオフセットしており、部分２０Ｂは、アンテナ４０と端部２１２との間に配置される）。
【００５３】
図２４に示されるように、スタイラス１０は、キャップ２１８のような取り外し可能キャップを有することができる。キャップ２１８は、スタイラス１０の端部２２に取り付けること及びそこから取り外すことができる。スタイラス１０は、コネクタ２１４のようなコネクタを有することができる。コネクタ２１４は、対応するコネクタ（例えば、対の一方の電子デバイス上のコネクタ）と嵌合する接点（ピン）２１６を有することができる。コネクタ２１４は、スタイラス１０内のバッテリを充電し、設定及び他の情報を外部機器からスタイラス１０に伝達し、及び／又は、データ又は電力をスタイラス１０から外部機器に伝達するために用いることができる。アンテナ４０は、コネクタ２１４から陥凹した、位置２０Ａのような位置に配置することができる。
【００５４】
キャップを有する例示的なスタイラスの側断面図が、図２５に示される。図２５に示されるように、スタイラス１０は、（例えば、摩擦により）キャップ２１８を取り付けること、又は（例えば、キャップ２１８を外してコネクタ２１４を露出させることにより）取り外すことができる外側ハウジング２３２を有することができる。コネクタ２１４は、プリント回路、又は支持回路２２２（例えば、集積回路等）を実装できる他の構造体から形成することができる。フレキシブルプリント回路又は信号経路２２４のような他の信号経路を用いて、コネクタ２１４及び関連したコネクタ回路２２２を、プリント回路２２６及び該プリント回路２２６上のコンポーネント２２８に結合することができる。コンポーネント２２８は、図２の制御回路３０及び入力・出力回路４４を形成するための回路を含むことができる。
【００５５】
アンテナ４０は、スタイラス１０の端部からオフセットした、領域２０Ａのような領域内に配置することができる（例えば、非アンテナ領域２０Ｂは、スタイラス１０の端部とアンテナ領域２０Ａとの間に配置することができる）。
【００５６】
金属管２２０は、ハウジング２３２内に取り付けることができる。領域２０Ａにおいて、金属管２２０（又は、金属管の大部分）が存在せず、アンテナ４０がハウジング２３２の下に取り付けられることもある。ハウジング２３２は、放射線透過性のプラスチック管とすることができる。金属管２２０を領域２０Ａから取り除くことにより（例えば、管２２０内に開口部を形成することにより）、ハウジング２３２の部分２２２が、アンテナ４０のためのアンテナ窓を形成することができる。金属管２２０が、領域２０Ｂ内に存在せず、又は金属管の部分２２０’が領域２０Ｂ内に配置されることもある。
【００５７】
図２６に示されるように、図２５のアンテナ４０は、支持構造体２３４のような誘電体支持構造体上の金属トレースから形成することができる。支持構造体２３４は、プラスチック管又は他の誘電体支持構造体（例えば、多管構成内の内側管）とすることができる。支持部２３４上に形成されたアンテナ・トレースは、アンテナ共振要素アーム１０８、給電装置１１２のための金属構造体、戻り経路１１０を形成する金属トレース、及びアンテナ４０を接地１０４に結合する金属トレースを含むことができる。伝送線９２は、接地給電端子１００に結合された外側コネクタと、正給電端子９８に結合された内側導体とを有する同軸ケーブルとすることができる（一例として）。金属管２２０は、アンテナ接地１０４を形成するのに用いることができ、支持部２３４上のアンテナ・トレースにおける接地トレースに短絡され得る。必要に応じて、ケーブル９２は、フォーム２３６のような導電性フォームのストリップ又は他の導電性材料（例えば、導電性ファブリック、金属箔等）で覆うことができる。これは、ケーブル９２の接地及び遮蔽する助けとなり得る。
【００５８】
アンテナ４０の金属トレースは、スタイラス１０の周囲の一部又は全てを取り囲むことができる。図２７及び図２８は、２つの異なる例示的構成におけるスタイラス１０の上面断面図である。図２７の例において、アンテナ共振要素アーム１０８の金属トレースは、支持部２３４の周囲の全てではないが大部分の周りに延びる。図２８の例においては、アンテナ共振要素アーム（リング）１０８の金属トレースは、支持部２３４の周り全体に延びる。図２９は、リング・アンテナ（すなわち、図２８の上面図に示されるような、支持部２３４の周り全体に延びる共振要素）を形成するために、アンテナ共振要素１０８の金属トレースをどのように構成できるかを示す。図２９のリング・アンテナ４０又は図２６の逆Ｆ形アンテナなどのアンテナは、領域２０Ａ又は他の適切な領域のようなスタイラス１０の領域内に形成することができる。アンテナ構造体は、プラスチック支持部上のパターン形成されたトレース、プラスチック支持部に巻き付けられたプリント回路上の金属トレース、プラスチック支持部に取り付けられた金属箔構造体、金属ハウジング構造体、又は他の適切な金属構造体から形成することができる。
【００５９】
図３０は、支持構造体２３４上に形成された逆Ｆ形アンテナの例示的金属アンテナ・トレースの側面図である。アンテナ・トレースは、アーム１０８、戻り経路１１０、給電装置１１２、及び導電性接着剤２３７を用いて、アンテナ接地を形成するために金属管２２０（例えば、図２６参照）に短絡させることができるストリップ１０４’のような金属ストリップを形成するためのトレースを含むことができる。
【００６０】
図３１に示されるように、金属管２２０は、アンテナ４０を収容するための開口部を形成する切り欠き部分を有する円筒形状を有することができる。図３１の金属管２２０の斜視図が、図３２に示される。図３２に示されるように、垂直方向部分２２０’’を用いて、リング形状の上方部分２２０’を主部分２２０に取り付けることができる。
【００６１】
アンテナ４０近傍のスタイラス１０の壁部分の側断面図が、図３３に示される。図３３の例において、誘電体支持部２３４は、内側管の形状を有する。接地トレース１０４’のようなアンテナ４０のアンテナ・トレース及び共振要素アーム１０８を、支持構造体２３４上に形成することができる。接地領域１０４において、金属管２２０は、導電性接着剤２３７を用いてトレース１０４’に短絡される。ねじ２５０は、金属管２２０を支持部２３４に取り付けるために使用することができ、管２２０（アンテナ接地として機能することができる）と接地トレース１０４’との間の電気接続を形成するのを助けることができる。プラスチック・ハウジング管２３２は、アンテナ４０を覆うことができ、スタイラス１０の最外層として機能することができる。
【００６２】
図３４に示されるように、図２５のプリント回路２２６は、コネクタ２６０のようなコネクタを有することができる。同軸ケーブル９２は、コネクタ２６０を用いて、基板２２６上の無線周波数トランシーバ回路に結合することができる。ケーブル９２は、金属管２２０内の開口部２６２を貫通することができ、アンテナ４０を収容する管２２０内の開口部を通って、アンテナ給電装置１１２に結合することができる。導電性接着剤２６４は、金属管２２０へのケーブル９２の接地導体の短絡を助けることができる。ケーブル９２は、図２６の導電性フォーム２３６のような導電性材料のストリップ、又は導電性ファブリック、金属、又は他の材料で覆うことができる。
【００６３】
１つの実施形態によれば、長手方向軸に沿って延び、周囲を有する、シャフトによって結合された先端部及び反対側の端部を有する細長い本体と、周囲の少なくとも一部に巻き付けられたアンテナとを含むコンピュータ・スタイラスが提供される。
【００６４】
別の実施形態によれば、コンピュータ・スタイラスは、複数の接触パッドを有する、反対側の端部におけるコネクタを含み、アンテナは、コネクタと先端部との間のシャフト上に配置される。
【００６５】
別の実施形態によれば、アンテナは、プラスチック管に巻き付けられたフレキシブルプリント回路を含む。
【００６６】
別の実施形態によれば、金属アンテナ共振要素は、プラスチック支持構造体上の金属アンテナ共振要素トレースである。
【００６７】
別の実施形態によれば、コンピュータ・スタイラスは、シャフトの少なくとも一部を形成する金属管を含む。
【００６８】
別の実施形態によれば、アンテナは、導電性接着剤によって金属管に短絡される金属トレースを有する。
【００６９】
別の実施形態によれば、コンピュータ・スタイラスは、同軸ケーブルを含み、金属管は、同軸ケーブルが通る開口部を有する。
【００７０】
別の実施形態によれば、アンテナは給電装置を有し、同軸ケーブルは給電装置に結合される。
別の実施形態によれば、コンピュータ・スタイラスは、同軸ケーブルの少なくとも一部を覆う導電性フォームのストリップを含む。
【００７１】
別の実施形態によれば、アンテナは、周囲の全体に巻き付けられた金属アンテナ共振要素を有するリング・アンテナを含む。
【００７２】
別の実施形態によれば、長手方向軸に沿って延びるシャフトによって結合された先端部及び反対側の端部を有する細長い本体と、ドーム形状のプラスチック支持部上の金属トレースから形成された、反対側の端部におけるアンテナとを含むコンピュータ・スタイラスが提供される。
【００７３】
別の実施形態によれば、アンテナは磁石を含む。
【００７４】
別の実施形態によれば、アンテナは逆Ｆ形アンテナを含む。
別の実施形態によれば、アンテナは、戻り経路トレースによって結合されたアンテナ接地トレース及びアンテナ共振要素トレースを含む。
【００７５】
別の実施形態によれば、アンテナ共振要素トレースは磁石に電気的に結合され、アンテナ電流が磁石を通る。
【００７６】
別の実施形態によれば、コンピュータ・スタイラスは、アンテナ共振要素トレース及びアンテナ接地トレースに結合されたアンテナ給電装置と、シャフトの少なくとも一部を形成し、アンテナ接地トレースに短絡された金属管とを含む。
別の実施形態によれば、コンピュータ・スタイラスは、アンテナ接地トレースに短絡されたねじ、及びアンテナ給電装置に結合された同軸ケーブルを含む。
【００７７】
１つの実施形態によれば、長手方向軸に沿って延び、周囲を有する、シャフトによって結合された先端部及び反対側の端部を有する細長い本体と、複数のコネクタ接触パッドを有する、反対側の端部におけるコネクタと、信号経路によってコネクタに結合された、シャフト内の電気コンポーネントと、電気コンポーネントとコネクタとの間にある、シャフト内のアンテナとを含み、シャフトは、アンテナが取り付けられる開口部を有する金属管と、金属管を覆い、開口部においてアンテナを覆うプラスチック外側管とを含むコンピュータ・スタイラスが提供される。
【００７８】
別の実施形態によれば、アンテナは、共振要素アームを有する逆Ｆ形アンテナと、導電性接着剤によって金属管に結合された接地と、共振要素アームと接地との間に延びる戻り経路とを含む。
【００７９】
別の実施形態によれば、アンテナは給電装置を含み、コンピュータ・スタイラスは、給電装置に結合された同軸ケーブルを含む。
【００８０】
別の実施形態によれば、金属管は付加的な開口部を有し、同軸ケーブルは付加的な開口部を通る。
【００８１】
別の実施形態によれば、コンピュータ・スタイラスは、同軸ケーブルの少なくとも一部を覆う導電性フォームのストリップを含む。
【００８２】
別の実施形態によれば、コンピュータ・スタイラスは、コネクタを覆う取り外し可能キャップを含む。
別の実施形態によれば、コンピュータ・スタイラスは、開口部においてアンテナを支持する内側プラスチック管を含む。
別の実施形態によれば、アンテナは、内側プラスチック管上の金属トレースを含む。
【００８３】
上記は単なる例示にすぎず、当業者であれば、説明された実施形態の範囲及び趣旨から逸脱することなく、種々の修正を行うことができる。上記の実施形態は、個々に又は任意の組み合わせで実施することができる。
【符号の説明】
【００８４】
１０：スタイラス
１４：先端部
１６：シャフト
１８、２２８：コンポーネント
２０Ａ、２０Ｂ：領域
２２、２１２：反対側の端部
２６：長手方向軸
２８：無線通信リンク
３０：格納及び処理回路
３２：入力・出力デバイス
３４：無線通信回路
４０：アンテナ
４４：入力・出力回路
８８、１８８：内部キャビティ
９０：トランシーバ回路
９２：伝送線（ケーブル）
９４、９６：線
９８：正アンテナ給電端子
１００：接地アンテナ給電端子
１０２：同調可能コンポーネント
１０４：アンテナ接地
１０６：アンテナ共振要素
１０８：アーム
１１０：戻り経路
１１２：アンテナ給電装置
１２０：タブレット・コンピュータ
１２２：ディスプレイ
１２４、２１０、２３２：ハウジング
１２６：ボタン
１３０：誘電体支持部
１３２：フレキシブル基板
１３４：誘電体支持部材
１３６：接着剤
１３８：誘電体支持部
１４０：ディスペンサ
１４２：コンピュータ制御ポジショナ
１４４：導電性インク
１５０：信号導体
１５２：ばね荷重ピン
１５４：金属トレース
１５６、１６４：誘電体基板
１５８：信号線
１６０：ばね
１６２、１７０：アンテナ・トレース
１６６、１８６：基板
１６８：伝送線導体
１７２：バイア
１８０：外側層
１８２：中間層
１８４：内側層
１８６：基板
１９０：電気コンポーネント
２００：成形プラスチック支持部
２０２：磁石
２０６、２５０：ねじ
２０８、２３７、２６４：導電性接着剤
２１４、２６０：コネクタ
２１８：キャップ
２２０：金属管
２２４：信号経路
２２６：プリント回路
２３４：支持構造体
２６２：開口部
【図１】
0003206773.tif 000003
【図２】
0003206773.tif 000004
【図３】
0003206773.tif 000005
【図４】
0003206773.tif 000006
【図５】
0003206773.tif 000007
【図６】
0003206773.tif 000008
【図７】
0003206773.tif 000009
【図８】
0003206773.tif 000010
【図９】
0003206773.tif 000011
【図１０】
0003206773.tif 000012
【図１１】
0003206773.tif 000013
【図１２】
0003206773.tif 000014
【図１３】
0003206773.tif 000015
【図１４】
0003206773.tif 000016
【図１５】
0003206773.tif 000017
【図１６】
0003206773.tif 000018
【図１７】
0003206773.tif 000019
【図１８】
0003206773.tif 000020
【図１９】
0003206773.tif 000021
【図２０】
0003206773.tif 000022
【図２１】
0003206773.tif 000023
【図２２】
0003206773.tif 000024
【図２３】
0003206773.tif 000025
【図２４】
0003206773.tif 000026
【図２５】
0003206773.tif 000027
【図２６】
0003206773.tif 000028
【図２７】
0003206773.tif 000029
【図２８】
0003206773.tif 000030
【図２９】
0003206773.tif 000031
【図３０】
0003206773.tif 000032
【図３１】
0003206773.tif 000033
【図３２】
0003206773.tif 000034
【図３３】
0003206773.tif 000035
【図３４】
0003206773.tif 000036
【手続補正書】
【提出日】平成28年8月4日(2016.8.4)
【手続補正１】
【補正対象書類名】実用新案登録請求の範囲
【補正対象項目名】全文
【補正方法】変更
【補正の内容】
【実用新案登録請求の範囲】
【請求項１】
長手方向軸に沿って延び、周囲を有する、シャフトによって結合された先端部及び反対側の端部を有する細長い本体と、
前記周囲の少なくとも一部に巻き付けられたアンテナと、
を含むことを特徴とするコンピュータ・スタイラス。
【請求項２】
複数の接触パッドを有する、前記反対側の端部におけるコネクタをさらに含み、前記アンテナは、前記コネクタと前記先端部との間の前記シャフト上に配置されることを特徴とする、請求項１に記載のコンピュータ・スタイラス。
【請求項３】
前記アンテナはプラスチック管に巻き付けられたフレキシブルプリント回路を含むことを特徴とする、請求項２に記載のコンピュータ・スタイラス。
【請求項４】
前記アンテナは、プラスチック支持構造体上の金属アンテナ共振要素トレースであることを特徴とする、請求項２に記載のコンピュータ・スタイラス。
【請求項５】
前記シャフトの少なくとも一部を形成する金属管をさらに含むことを特徴とする、請求項４に記載のコンピュータ・スタイラス。
【請求項６】
前記アンテナは、導電性接着剤によって前記金属管に短絡される金属トレースを有することを特徴とする、請求項５に記載のコンピュータ・スタイラス。
【請求項７】
同軸ケーブルをさらに含み、前記金属管は、前記同軸ケーブルが通る開口部を有することを特徴とする、請求項６に記載のコンピュータ・スタイラス。
【請求項８】
前記アンテナは給電装置を有し、前記同軸ケーブルは前記給電装置に結合され、前記コンピュータ・スタイラスは、
前記同軸ケーブルの少なくとも一部を覆う導電性フォームのストリップをさらに含むことを特徴とする、請求項７に記載のコンピュータ・スタイラス。
【請求項９】
前記アンテナは、前記周囲の全体に巻き付けられた金属アンテナ共振要素を有するリング・アンテナを含むことを特徴とする、請求項１に記載のコンピュータ・スタイラス。
【請求項１０】
長手方向軸に沿って延びる、シャフトによって結合された先端部及び反対側の端部を有する細長い本体と、
ドーム形状のプラスチック支持部上の金属トレースから形成された、前記反対側の端部におけるアンテナと、
を含むことを特徴とするコンピュータ・スタイラス。
【請求項１１】
前記アンテナは磁石を含むことを特徴とする、請求項１０に記載のコンピュータ・スタイラス。
【請求項１２】
前記アンテナは逆Ｆ形アンテナを含み、前記アンテナは、戻り経路トレースによって結合されたアンテナ接地トレース及びアンテナ共振要素トレースを含むことを特徴とする、
請求項１１に記載のコンピュータ・スタイラス。
【請求項１３】
前記アンテナ共振要素トレースは前記磁石に電気的に結合され、アンテナ電流は前記磁石を通ることを特徴とする、請求項１２に記載のコンピュータ・スタイラス。
【請求項１４】
アンテナ共振要素トレース及びアンテナ接地トレースに結合されたアンテナ給電装置と、
前記シャフトの少なくとも一部を形成し、前記アンテナ接地トレースに短絡された金属管と、
前記アンテナ接地トレースに短絡されたねじ、及び前記アンテナ給電装置に結合された同軸ケーブルと、
をさらに含むことを特徴とする、請求項１０に記載のコンピュータ・スタイラス。
【請求項１５】
長手方向軸に沿って延び、周囲を有する、シャフトによって結合された先端部及び反対側の端部を有する細長い本体と、
複数のコネクタ接触パッドを有する、前記反対側の端部におけるコネクタと、
信号経路によって前記コネクタに結合された、前記シャフト内の電気コンポーネントと、
前記電気コンポーネントと前記コネクタとの間にある、前記シャフト内のアンテナと、を含み、前記シャフトは、前記アンテナが取り付けられる開口部を有する金属管と、前記金属管を覆い、前記開口部において前記アンテナを覆うプラスチック外側管とを含むことを特徴とするコンピュータ・スタイラス。
【請求項１６】
前記アンテナは、共振要素アームを有する逆Ｆ形アンテナと、導電性接着剤によって前記金属管に結合された接地と、前記共振要素アームと前記接地との間に延びる戻り経路とを含むことを特徴とする、請求項１５に記載のコンピュータ・スタイラス。
【請求項１７】
前記アンテナは給電装置を含み、前記コンピュータ・スタイラスは、前記給電装置に結合された同軸ケーブルをさらに含むことを特徴とする、請求項１６に記載のコンピュータ・スタイラス。
【請求項１８】
前記金属管は付加的な開口部を有し、前記同軸ケーブルは前記付加的な開口部を通ることを特徴とする、請求項１７に記載のコンピュータ・スタイラス。
【請求項１９】
前記同軸ケーブルの少なくとも一部を覆う導電性フォームのストリップをさらに含むことを特徴とする、請求項１８に記載のコンピュータ・スタイラス。
【請求項２０】
前記コネクタを覆う取り外し可能キャップと、
前記開口部において前記アンテナを支持する内側プラスチック管と、
をさらに含み、前記アンテナは、前記内側プラスチック管上の金属トレースを含むことを特徴とする、請求項１９に記載のコンピュータ・スタイラス。